(57)【要約】【課題】手軽に利用され、かつ扱い易い毛筆、を提供する。【解決手段】毛筆は、指を装着する装着部２１と、装着部２１に接続される穂部３１とを備える。穂部３１は、装着部２１に装着された指の先に配置される。【選択図】図２
2008273030.tif 000002
【特許請求の範囲】
【請求項１】
指を装着する装着部と、
前記装着部に接続される穂部とを備え、
前記穂部は、前記装着部に装着された指の先に配置される、毛筆。
【請求項２】
前記穂部は、穂首と穂先とを含み、
手の側部を正面から見た場合に、前記穂部が前記穂首から前記穂先に向けて延びる方向と、前記装着部に装着された指が延びる方向とが、斜めに交差する、請求項１に記載の毛筆。
【請求項３】
前記装着部には、指が挿入される孔が形成され、
前記装着部は、前記孔に挿入された指を保持する弾性力を有する、請求項１または２に記載の毛筆。
【発明の詳細な説明】
【技術分野】
【０００１】
この発明は、一般的には、毛筆に関し、より好適には、書道、絵画、塗り絵、化粧等に用いられる毛筆に関する。
【背景技術】
【０００２】
たとえば、特開２００４−３５８９４３号公報には、コンピュータのキーボードを操作しながら字を書けるようにした筆記具が開示されている（特許文献１）。特許文献１では、指に固定する部材にガイド部材が設けられる。ガイド部材にスライド部分が摺り動く状態で保持される。スライド部分に筆記具が設けられる。
【０００３】
また、特開２００１−３１５４８６号公報には、所望の筆記を行ないながらコンピュータのキーボードを打つ等の作業を行なうことができ、しかも筆記具を安定状態に把持して確実な筆記を行なうことができる指装着式筆記具が開示されている（特許文献２）。特許文献２では、指キャップに、その先端部から斜め上方に弧状に延長する筆記具ホルダが形成されている。筆記具ホルダには、ボールペン先を有するインク入り芯が挿入されている。
【特許文献１】特開２００４−３５８９４３号公報
【特許文献２】特開２００１−３１５４８６号公報
【発明の開示】
【発明が解決しようとする課題】
【０００４】
近年、幼児教育やリハビリテーションの現場において、書道や絵画、塗り絵等を行なうため手軽に扱える毛筆が求められている。一方、筆先が動物の毛やナイロン毛から形成される毛筆の場合、筆圧が直接、線の太さや書体となって現れるため、書き手に微妙なタッチが要求される。このため、毛筆は、鉛筆やボールペンなどとは異なり、その扱いが難しい。
【０００５】
そこでこの発明の目的は、上記の課題を解決することであり、手軽に利用され、かつ扱い易い毛筆を提供することである。
【課題を解決するための手段】
【０００６】
この発明に従った毛筆は、指を装着する装着部と、装着部に接続される穂部とを備える。穂部は、装着部に装着された指の先に配置される。このように構成された毛筆によれば、装着部に指を装着した状態で使用されるため、幼児やお年寄りなどであっても毛筆を手軽に利用することができる。また、穂部が指の先に配置されるため、書き手は、まるで指に穂部が生えたかのような感覚で毛筆を扱うことができる。このため、毛筆を思いのまま扱うことができる。
【０００７】
また、穂部は、穂首と穂先とを含む。好ましくは、手の側部を正面から見た場合に、穂部が穂首から穂先に向けて延びる方向と、装着部に装着された指が延びる方向とが、斜めに交差する。なお、手の側部とは、手の平と手の甲との間の部分を言う。このように構成された毛筆によれば、毛筆をより扱い易くできる。
【０００８】
また好ましくは、装着部には、指が挿入される孔が形成される。装着部は、孔に挿入された指を保持する弾性力を有する。このように構成された毛筆によれば、装着部に対して、指を容易に装着するとともに適当な位置に保持することができる。また、複数の人が使用する場合であっても、装着部に異なる太さの指を保持することができる。
【発明の効果】
【０００９】
以上説明したように、この発明に従えば、手軽に利用され、かつ扱い易い毛筆を提供することができる。
【発明を実施するための最良の形態】
【００１０】
この発明の実施の形態について、図面を参照して説明する。なお、以下で参照する図面では、同一またはそれに相当する部材には、同じ番号が付されている。
【００１１】
（実施の形態１）
図１は、この発明の実施の形態１における毛筆を示す斜視図である。図２は、図１中の毛筆の断面図であり、図２（Ａ）は手の甲を正面から見た図であり、図２（Ｂ）は手の側部を正面から見た図である。図１および図２を参照して、本実施の形態における毛筆１０は、書道用の筆または絵画や塗り絵に用いられる絵筆である。毛筆１０は、墨汁やインクを用いて、文字や絵、色などを書きしるす場合に使用される。本発明における毛筆は、化粧に用いられる化粧筆であってもよい。
【００１２】
図１および図２を参照して、毛筆１０は、装着部２１と穂部３１とを含む。装着部２１は、柔軟性を有する材料から形成されている。装着部２１は、たとえば樹脂から形成されている。装着部２１には、書き手の指が装着される。本実施の形態では、装着部２１に書き手の人差し指が装着される。人差し指以外の指が、装着部２１に装着されてもよい。
【００１３】
装着部２１は、筒形状を有する。装着部２１には、孔としての指挿入用孔２２が形成されている。指挿入用孔２２は、一方向に延びる。装着部２１は、底部２４を含む。指挿入用孔２２は、底部２４によりその一端が閉塞された有底の孔である。指挿入用孔２２には、書き手の指が挿入される。指挿入用孔２２は、略円形の断面形状を有する。指挿入用孔２２は、指の装着感を向上させるため、円形以外の断面形状を有してもよい。装着部２１には、穂固定用孔２３が形成されている。指挿入用孔２２と穂固定用孔２３とは、底部２４によって隔てられている。
【００１４】
穂部３１は、墨汁やインク等の液体が染み込む部分である。穂部３１は、動物の毛やナイロン毛などを束ねて形成されている。穂部３１は、柔軟性を有する。穂部３１は、装着部２１に接続されている。穂部３１は、指が装着される側とは反対側から装着部２１に接続されている。穂部３１は、穂首３２と穂先３３とを含む。穂部３１は、穂首３２から穂先３３に向けて延びる。穂首３２は、穂固定用孔２３に挿入された状態で接着剤により装着部２１に固定されている。穂部３１が装着部２１に接続される構造は、上記構造に限られず、適宜変更される。たとえば、装着部２１に環状の金属部品を設け、環状の内側に位置決めした穂首３２を金属部品によってかしめる構造であってもよい。
【００１５】
穂部３１は、装着部２１に装着された指の先に配置されている。穂部３１は、装着部２１に装着された指の指先と穂首３２とが対向するように配置されている。穂首３２は、指先よりも前方に配置されている。図２（Ａ）に示すように、手の甲を正面から見た場合に、穂部３１が延びる方向と指が延びる方向とが一致する。図２（Ｂ）に示すように、手の側部を正面から見た場合に、穂部３１が延びる方向と指が延びる方向とが一致する。穂部３１は、装着部２１を装着する指の軸線上に重なって配置されている。本実施の形態では、指挿入用孔２２に指が挿入される装着部２１の構造により、簡易な構成で、穂部３１を指の先に配置することができる。
【００１６】
指先と底部２４とが当接するように、指が指挿入用孔２２に挿入されている。指先と底部２４との間に隙間が形成されるように、指が指挿入用孔２２に挿入されてもよい。指挿入用孔２２は有底の孔であるため、穂部３１に染み込んだ液体が指に付着するおそれがない。
【００１７】
この発明の実施の形態１における毛筆１０は、指を装着する装着部２１と、装着部２１に接続される穂部３１とを備える。穂部３１は、装着部２１に装着された指の先に配置される。
【００１８】
このように構成された、この発明の実施の形態１における毛筆１０によれば、指挿入用孔２２に指を挿入した状態で毛筆１０が使用される。このため、たとえば、幼児が習字やお絵書きを習う場合や、指先の感覚を取り戻すために老人がリハビリテーションを行なう場合であっても、毛筆１０を手軽に利用できる。また、穂部３１は指の先に配置される。このため、書き手は、毛筆１０を自分の指の一部のようにして扱い、穂先３３を紙面上の意図した場所に位置決めしたり、所望の筆圧で字や絵を書くことが可能となる。結果、毛筆に不慣れな人であっても、その扱いを容易にできる。
【００１９】
（実施の形態２）
図３は、この発明の実施の形態２における毛筆を示す断面図である。本実施の形態における毛筆は、実施の形態１における毛筆と比較して、基本的には同様の構造を備える。以下、重複する構造については説明を繰り返さない。
【００２０】
図３を参照して、本実施の形態における毛筆５０では、手の側部を正面から見た場合に、穂部３１が穂首３２から穂先３３に向けて延びる方向（図中の一点鎖線１１０が延びる方向）と指挿入用孔２２に挿入された指が延びる方向（図中の一点鎖線１２０の延びる方向）とが、斜めに交差する。両方の方向が交差する角度αは、０°＜α＜９０°の関係を満たす。さらに好ましくは、角度αは、０°＜α≦４５°の関係を満たす。
【００２１】
図４は、実施の形態１および２における毛筆の使用形態を比較する図である。図３および図４を参照して、毛筆１０および毛筆５０の使用形態を比較すると、装着部２１を装着する指の傾きが同じ場合、穂先３３と指との間の距離が毛筆５０の方が短くなる。これにより、指と穂部３１との一体感を向上させ、毛筆５０の扱い易さを良好にできる。また、たとえば、細い線を書いたり細かい部分を描く場合、手の側部を紙面に下ろした状態で穂首３２の先端が用いられる。このような場合に、毛筆５０によれば、指を無理に立てることなく穂先３３の先端を紙面に当てることができる。また、その状態から指の傾きを寝かせれば、穂先３３と穂首３２との間の腹の部分を紙面に当てることができる。このため、毛筆５０の使い勝手を良好にできる。
【００２２】
図５は、指先と穂部との位置関係を示す図である。図５を参照して、穂部３１の傾きが調整される際、爪先から手の平側の指の第１関節までの範囲Ｒ１と、穂首３２とが対向する。より好ましくは、爪先から爪の根元の裏側に当たる手の平側の位置までの範囲Ｒ２と、穂首３２とが対向する。
【００２３】
このように構成された、この発明の実施の形態２における毛筆５０によれば、実施の形態１に記載の効果と同様の効果を得ることができる。加えて、毛筆５０の扱い易さや使い勝手をさらに良好にできる。なお、装着部２１に、穂部３１の傾きを調整する角度調整部と、穂部３１の傾きを固定する角度固定部とを設け、穂部３１の傾きを可変としてもよい。
【００２４】
（実施の形態３）
図６は、この発明の実施の形態３における毛筆を示す断面図である。本実施の形態における毛筆は、実施の形態１における毛筆と比較して、基本的には同様の構造を備える。以下、重複する構造については説明を繰り返さない。
【００２５】
図６を参照して、本実施の形態では、装着部２１が指装着部６１と穂部接続部６２とを含む。指装着部６１には指が装着され、穂部接続部６２には穂部３１が接続されている。指装着部６１と穂部接続部６２とは、着脱自在に設けられている。本実施の形態では、穂部接続部６２が雄ねじ部６３を含み、指装着部６１が雄ねじ部６３が螺合される雌ねじ部６４を含む。このような構成により、装着部２１に接続された穂部３１を、穂の種類や大きさの異なる別の穂部３１と取り替えることが可能となる。
【００２６】
図７は、図６中の毛筆の第１変形例を示す断面図である。図７を参照して、本変形例では、手の側部を正面から見た場合に穂部３１が延びる方向と指が延びる方向とが斜めに交差するように設けられた穂部３１が、穂部接続部６２に接続されている。本変形例では、装着部２１に接続された穂部３１を、穂の角度の異なる別の穂部３１と取り替えることが可能となる。
【００２７】
図８は、図６中の毛筆の第２変形例を示す断面図である。図８を参照して、本変形例では、穂部接続部６２が、液溜め部６６を含む。液溜め部６６は、墨汁やインク等の液体を溜める。液溜め部６６に溜められた液体は、穂部３１に随時、供給される。液溜め部６６は、穂部接続部６２とは別部品として設けられてもよい。本変形例では、筆ペンタイプの毛筆においてインクの補給を行なうことができる。
【００２８】
このように構成された、この発明の実施の形態３における毛筆によれば、実施の形態１に記載の効果と同様の効果を得ることができる。加えて、毛筆５０の使い勝手をさらに良好にできる。
【００２９】
（実施の形態４）
図９は、この発明の実施の形態４における毛筆を示す断面図である。図中には、図１中の装着部２１の断面形状が示されている。本実施の形態における毛筆は、実施の形態１における毛筆１０と比較して、基本的には同様の構造を備える。以下、重複する構造については説明を繰り返さない。
【００３０】
図９を参照して、本実施の形態では、装着部２１が、外筒部７１と弾性部７２とを含む。外筒部７１は、樹脂から形成されている。弾性部７２は、弾性に富んだエラストマーから形成されている。弾性部７２に形成された指挿入用孔２２に、書き手の指が挿入される。弾性部７２が圧縮変形されながら指が指挿入用孔２２に挿入されることにより、指を装着部２１に保持する弾性力が生じる。
【００３１】
このような構成により、指の太さが異なる複数の人が使用する場合であっても、指と穂部３１との一体感を向上させ、毛筆の扱い易さを良好にできる。また、指挿入用孔２２に挿入される指の深さを、書き手にとって毛筆を扱い易い適切に深さに調整することができる。
【００３２】
図１０は、図９中の毛筆の第１変形例を示す図であり、図１０（Ａ）は側面図であり、図１０（Ｂ）は図１０（Ａ）中のＢ−Ｂ線上に沿った断面図である。図１０を参照して、本変形例では、装着部２１にスリット７６が形成されている。スリット７６は、周方向に間隔を隔てて複数形成されている。スリット７６は、装着部２１が筒状に延びる方向に沿って延びる。スリット７６を押し広げながら指が指挿入用孔２２に挿入されることにより、指を装着部２１に保持する弾性力が生じる。
【００３３】
図１１は、図９中の毛筆の第２変形例を示す断面図である。図１１を参照して、本変形例では、装着部２１が図９中の弾性部７２のみから形成されている。本変形例では、装着部２１の直径を小さくすることにより、書き手の穂先３３付近の視界を良好にできる。
【００３４】
このように構成された、この発明の実施の形態４における毛筆によれば、実施の形態１に記載の効果と同様の効果を得ることができる。加えて、毛筆５０の扱い易さをさらに良好にできる。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３６】
【図１】この発明の実施の形態１における毛筆を示す斜視図である。
【図２】図１中の毛筆の断面図である。
【図３】この発明の実施の形態２における毛筆を示す断面図である。
【図４】実施の形態１および２における毛筆の使用形態を比較する図である。
【図５】指先と穂部との位置関係を示す図である。
【図６】この発明の実施の形態３における毛筆を示す断面図である。
【図７】図６中の毛筆の第１変形例を示す断面図である。
【図８】図６中の毛筆の第２変形例を示す断面図である。
【図９】この発明の実施の形態４における毛筆を示す断面図である。
【図１０】図９中の毛筆の第１変形例を示す図である。
【図１１】図９中の毛筆の第２変形例を示す断面図である。
【符号の説明】
【００３７】
１０，５０  毛筆、２１  装着部、２２  指挿入用孔、３１  穂部、３２  穂首、３３  穂先、７２  弾性部。
【図１】
2008273030.tif 000003
【図２】
2008273030.tif 000004
【図３】
2008273030.tif 000005
【図４】
2008273030.tif 000006
【図５】
2008273030.tif 000007
【図６】
2008273030.tif 000008
【図７】
2008273030.tif 000009
【図８】
2008273030.tif 000010
【図９】
2008273030.tif 000011
【図１０】
2008273030.tif 000012
【図１１】
2008273030.tif 000013